(57)【特許請求の範囲】
【請求項１】
ポジションセンサと、第１集積回路と、第２集積回路と、第１メモリとを備える電子デバイスであって、
前記第１集積回路は、
前記ポジションセンサから供給される信号に基づきポジションデータ、および、前記ポジションセンサが前記ポジションデータを取得する毎に値が変更されるカウンタ値としての識別子を生成し、前記識別子および前記ポジションデータを前記第１メモリに保存すると共に、前記第２集積回路にポジションデータ伝達情報を送信し、
前記第２集積回路は、
前記ポジションデータ伝達情報に基づき、直接前記第１メモリより前記識別子と前記ポジションデータを読み取った後、更に当該ポジションデータの前記識別子を再度読み取る手段を備えると共に、読み出した前記識別子および再度読み出した前記識別子が同一であるか否かに基づいて、読み取った前記ポジションデータが最新のものか否かを判断する
位置検出用電子デバイス。
【請求項２】
前記ポジションセンサは、タッチスクリーンを備える請求項１に記載の電子デバイス。
【請求項３】
前記ポジションセンサは、エントリペンと電磁結合するための少なくとも１つの誘導体を備える請求項１または２に記載の電子デバイス。
【請求項４】
前記ポジションセンサは、ディスプレイの後に配置される請求項１から３のいずれかに記載の電子デバイス。
【請求項５】
前記第１集積回路は、前記ポジションデータを送信するための取得処理をそれぞれ実施するための制御手段と、各ポジションデータに対する識別子を生成するための生成手段とを備える請求項１から４のいずれかに記載の電子デバイス。
【請求項６】
前記生成手段は、各取得に対し、取得された前記ポジションデータに対する前記カウンタ値を変更するために使用されるカウンタを備える請求項５に記載の電子デバイス。
【請求項７】
前記メモリは、前記識別子を保存するための第１メモリロケーションと、前記ポジションデータを保存するための第２メモリロケーションとを備える請求項５または６に記載の電子デバイス。
【請求項８】
前記第１集積回路は、取得した前記ポジションデータの識別子及び前記ポジションデータを、前記ポジションデータの識別子で始まる所定の連続オーダにて、メモリに書き込むために使用される請求項１から７のいずれかに記載の電子デバイス。
【請求項９】
前記第１集積回路は、前記第２集積回路に対する第１インタラプトを生成するために使用する信号を送信するための手段により、前記ポジションデータ伝達情報を送信する
請求項１から８のいずれかに記載の電子デバイス。
【請求項１０】
前記第２集積回路は、アプリケーションから第２インタラプトを受け取るために使用され、また、前記第１インタラプト及び第２インタラプトを処理するための手段を備える請求項９に記載の電子デバイス。
【請求項１１】
前記第１集積回路及び前記第２集積回路は、データバスにより接続される請求項１から１０のいずれかに記載の電子デバイス。
【請求項１２】
前記データバスは、ＳＰＩ、ＩＩＣ、及び／またはＵＡＲＴバスである請求項１１に記載の電子デバイス。
【請求項１３】
前記第２集積回路は、前記第１メモリロケーション、前記第２メモリロケーション、及び再読み取りに係る前記第１メモリロケーションの順番で、前記メモリを読み取る手段を備える請求項７に記載の電子デバイス。
【発明の詳細な説明】
【技術分野】
【０００１】
本発明は、位置検出の分野に関し、特に、コンピュータ、携帯電話、パーソナル・ハンディホーン・システム（ＰＨＳ）、携帯情報端末（ＰＤＡ）、モバイル・テレコミュニケーション・デバイス、ナビゲーションシステム、電子オルガナイザ、あるいは他の携帯用電子機器などの電子デバイスに関する。
【背景技術】
【０００２】
抵抗容量性タッチスクリーンおよび誘導性ポジションセンサを備える様々なポジションセンサに係わる技術が従来から知られている。例えば、特許文献１によれば、電磁信号を送受信するための複数のループコイル及び同調回路を有する位置指示器を備えた誘導性位置検出装置が開示され、位置検出が電磁結合により実施されることが知られている。またこれに類似した誘導性位置センサが、特許文献２、３、４及び５により知られている。さらにまた、容量性のペンエントリー・ポジションセンサが特許文献６、７、及び８により、知られている。
【特許文献１】欧州特許０２５９８９４号
【特許文献２】欧州特許０３０７６６７号
【特許文献３】米国特許６４８５３０６号
【特許文献４】米国特許５６００１０５号
【特許文献５】米国特許６６６７７４０号
【特許文献６】米国特許５４８８２０４号
【特許文献７】米国特許５９４２７３３号
【特許文献８】米国特許６３８０９２９号
【発明の開示】
【発明が解決しようとする課題】
【０００３】
本発明は、ポジション・センサを備える改良型電子デバイス、ポジション・センサに接続された改良型集積回路素子、及び継続的に更新されるポジション・データを読み取るための改良型集積回路素子、ならびに、その方法及びコンピュータ・プログラム製品を提供することを目的とする。
【課題を解決するための手段】
【０００４】
本発明は、ポジション・センサを備える電子デバイス、及びポジション・データを取得するポジション・センサに接続された第１集積回路素子を提供することであり、電子デバイスは、ポジションセンサと、第１集積回路と、第２集積回路と、第１メモリとを備え、第１集積回路は、ポジションセンサから供給される信号に基づきポジションデータおよびその識別子を生成し、識別子およびポジションデータを第１メモリに保存すると共に、第２集積回路にポジションデータ伝達情報を送信し、第２集積回路は、ポジションデータ伝達情報に基づき、直接第１メモリより識別子とポジションデータを読み取った後、更に当該ポジションデータの識別子を再度読み取る手段を備えると共に、読み出した識別子および再度読み出した識別子に基づいて、読み取ったポジションデータが利用可能か否かを判断する。
【０００５】
本発明は、特に、電池式携帯機器への適用に対し有益であり、第２集積回路が信号伝達データに応じてのみポジションデータを読み取ることにより、第２集積回路の処理負荷の低減を促進することである。よって、第２集積回路は、ポジションデータを受信するメモリを永続的に読み続ける必要がないため、第２集積回路の消費電力が削減できる結果、電池の寿命が長くなる。
【０００６】
本発明の実施形態によれば、ポジションセンサは、タッチスクリーンあるいはタッチパッド、例えば、抵抗、容量性、あるいは誘導性のタッチスクリーンあるいはタッチパッドを備える。
【０００７】
本発明の実施形態によれば、ポジションセンサは、エントリーペンと電磁結合するための少なくとも１つの導体を備える。導体は、エントリペンに電磁信号を送信するために間欠的に通電され、また、エントリペンは、導体により受信された電磁信号を返送する。このことによりポジション信号を送信することとなる。
【０００８】
本発明の実施形態によれば、ポジション・センサは、通信機器、携帯情報端末、ナビゲーション・システム、あるいは他の携帯機器などのディスプレイの背面に固定される。
【０００９】
本発明の実施形態によれば、第１集積回路素子は、ポジション・データを送信するために、ポジション・センサを駆動させるためのアナログ回路、及びポジション・シグナルを処理するためのロジック回路を備える。
【００１０】
本発明の実施形態によれば、第１集積回路素子は、ポジション・データを定期的に取得するための制御手段、及び各々のポジション・データセットに対する識別子を供給するための生成手段を備える。識別子は、所定のメモリ・ロケーション及びポジション・データセットに書き込まれる。また、メモリは、新たなポジションデータを取得する毎に上書きされることが好ましい。更新されたポジション・データをスキャンする毎にカウンタが増減することにより、識別子の値をカウンタ値とすることが可能である。
【００１１】
本発明の実施形態によれば、第１集積回路素子が、インタラプトを第２集積回路素子に送信することにより、第２集積回路素子は、新たなポジション・データ信号を取得する。第２集積回路素子は、インタラプト処理ルーチンを用いて、他のアプリケーションから受け取ったインタラプトを含む全てのインタラプトを処理する優先順位を決めることが可能である。
【００１２】
本発明の実施形態によれば、第２集積回路素子は、まず、ポジションデータ・セットの識別子として指定された第１メモリロケーションを読み取り、次に、ポジション・データセットとして指定された第２メモリロケーションを読み取り、その次に、第１メモリロケーションを再度読み取る。このとき、第１メモリロケーションから読み取られた識別子が同じ場合は、ポジション・データセットが適応可能であることを意味する。また、第１メモリロケーションから読み取られた識別子が同じでない場合は、第２集積回路素子が、以前のポジションデータの読み出しを試みる間に、第１集積回路素子が、新たなポジションデータの書き込み動作を実行したことを意味する。尚、第２集積回路素子は、利用可能なポジション・データを得るために、読み取り作業が不十分であった場合は、再度、読み取りを行うことで利用可能なポジション・データをメモリから読みとろうとする。
【００１３】
本発明の実施形態によれば、第１集積回路素子と第２集積回路素子は、ＳＰＩ、ＩＩＣ、及び／またはＵＡＲＴバスなどのようなデータバスにより接続される。
【図面の簡単な説明】
【００１４】
以下、図面を参照して本発明の実施形態をより詳細に説明する。
【００１５】
【図１】電子デバイスに係る第１の実施形態のブロック図である。
【００１６】
【図２】図１の電子デバイスの好適な操作モードを示すフローチャートである。
【００１７】
【図３】携帯電子デバイスのブロック図である。
【００１８】
【図４】図３の携帯電子デバイスの好適な操作モードを示すフローチャートである。
【００１９】
【図５】図３の携帯電子デバイスの位置検出システムの構成形態を示す透視図である。
【発明を実施するための最良の形態】
【００２０】
図１は、ポジション・シグナル１０４を集積回路Ａ１０６に送信するポジション・センサ１０２を備える電子装置１００を示す。集積回路Ａ１０６は、集積回路Ｂ１０８に接続される。集積回路Ａ１０６は、ポジション・シグナル１０４を処理するためのポジション・シグナル処理部１１０を備え、ポジション・シグナル１０４の処理結果としてポジション・データ１１２を送信する。ポジション・データ１１２は、メモリ１１４に書き込まれる。尚、メモリ１１４は、集積回路Ａ１０６と一体化で形成されることが好ましい。
【００２１】
集積回路Ｂ１０８は、メモリ１１６に接続され、メモリ１１６は、集積回路Ｂ１０８と一体化で形成されることが好ましい。メモリ１１６は、ポジション・データ１１２を保存し、集積回路Ｂ１０８は、ポジション・データ１１２を必要とするアプリケーション・プログラムあるいは操作システムなどのプログラムを実行する。
【００２２】
機能上、ポジション・センサ１０２は、集積回路Ａ１０６に、ポジション・シグナル１０４を送信し、ポジションシグナル１０４は、ポジション・シグナル処理部１１０により処理され、処理された結果、ポジションデータ１１２が、メモリ１１４に書き込まれる。
【００２３】
さらにまた、ポジション・シグナル処理部１１０は、ポジション・データ１１２を取得した後、集積回路Ｂ１０８に、ポジション・データ・信号伝達情報１２０を送信する。ポジション・データ・信号伝達情報１２０に応じて、集積回路Ｂ１０８は、ポジションデータ１１２をメモリ１１４から読み取るために読み取りリクエスト１２２を送信することが可能である。読み取りリクエスト１２２に応じて、ポジションデータ１１２が、メモリ１１４から集積回路Ｂ１０８のメモリ１１６に送信され、また、ポジションデータ１１２が、更なる処理のためにプログラム１１８によりメモリ１１６から読み取られる。
【００２４】
集積回路Ｂ１０８に対するポジションデータ１１２を取得した後、ポジション信号処理部１１０から送信されたポジションデータ信号伝達１２０により、集積回路Ｂ１０８のデータ処理負荷が低減されるため、集積回路Ｂ１０８の電力消費が低減しやすい。この理由は、集積回路Ｂ１０８が、ポジションデータ信号伝達情報１２０を受信後に、メモリ１１４からポジションデータ１１２を読み取るだけであることに起因する。このため、集積回路Ｂ１０８は、新たなポジションデータ１１２が発生してもメモリ１１４をチェックし続ける必要性はない。
【００２５】
上記内容を、図２のフローチャートに示す。工程２００では、集積回路Ａがポジションデータの取得を行う。工程２０２では、取得されたポジション・データがメモリ１１４に保存される。工程２０４にて、ポジション・データ・信号伝達情報が、連続してあるいは同時に、集積回路Ｂに送信されることで、使用可能な更新ポジション・データが送信される。
【００２６】
ポジション・データ・信号伝達情報に応じて、集積回路Ｂは、メモリからポジション・データを読み取るために、読み取り操作を開始する。工程２０６にて、集積回路Ｂは、集積回路Ａに読み取りリクエストを送信する。これに応じて、工程２０８にて、集積回路Ｂがポジションデータを受け取る。すなわち、ポジションデータが、集積回路Ａのメモリから集積回路Ｂへと送信される。次に、工程２１０にて、集積回路Ｂが、さまざまな目的に応じて、受信したポジションデータに基づいて、さまざまなデータ処理を行う。
【００２７】
図３は、携帯用電子デバイスのブロック図を示す。図３に示す構成要素のうち、図１に示す構成要件に対応するものについては、同一の参照番号を示す。
【００２８】
携帯電子デバイス３００は、エントリペン３２４の位置を感知するためのポジションセンサ３０２を備え、エントリペン３２４は、ユーザーにより操作可能なサイドスイッチ３２６及びペン先３２８を備える。ポジションセンサ３０２は、携帯電子デバイス３００のディスプレイ３３０の後ろに配置される。たとえば、ディスプレイ３３０は、液体結晶ディスプレイ、あるいは、有機発光ダイオード（ＯＬＥＤ）ディスプレイなどが挙げられる。
【００２９】
ポジションセンサ３０２は、電磁結合により、ディスプレイ３３０に関するエントリペン３２４の位置を感知し、また、位置検出に加え、サイドスイッチ３２６のスイッチ位置、及び／または、ペン先３２８が押圧されたか否か、を示す電磁信号を、エントリペン３２４から受け取る。あるいはまた、ポジションセンサ３０２は、ディスプレイ３３０の外表面に対し、ペン先３２８が押圧されたかの圧力を示すエントリペン３２４からの電磁信号を受信することも可能である。
【００３０】
集積回路３０６は、送信部３３４及び受信部３３６を有するアナログ回路３３２を備える。送信部３３４及び受信部３３６は、ポジション・センサ３０２からエントリペン３２４への電磁信号の送信と、ポジション・センサ３０２によるエントリペン３２４からの電磁信号の受信を制御するための制御信号３３８を生成する。得られたポジション信号、すなわち、ポジション情報を伝達するポジションシグナル３０４は、サンプルされたポジション・シグナル３０４をポジション・シグナル処理部３１０に送信する受信部３３６により受信される。
【００３１】
ポジション・シグナル処理部３１０は、集積回路３０６のロジック回路３４０に含まれる。本実施形態においては、ポジション・シグナル処理部３１０は、ロジック回路３４０により実行されるファームウェア３４２の一連の命令により機能する。
【００３２】
また、ファームウェア３４２は、ポジション・センサ３０２及びアナログ回路３３２の全ての操作を制御するための一連のファームウェア命令を出すポジション・センサ制御部３４４を備える。さらにまた、ファームウェア３４２は、ポジション・シグナル処理部３１０により送信される各ポジション・データセットに対する識別子を生成するための一連のファームウェア命令を出す生成部３４６を備える。インターラプト部３４８は、新たなポジション・データのスキャン要求を実行するときにインターラプト３２０を生成する、一連のファームウェア命令である。
【００３３】
さらにまた、集積回路３０６は、メモリ３１４を備える。メモリ３１４は、ポジションデータセットの識別子を保存するための所定のメモリロケーション３５０を備え、また、所定のメモリ・ロケーション３５２、３５４、３５６、３５８、及び３６０を備える。これらのメモリ・ロケーション３５２、３５４、３５６、３５８、及び３６０は、一式のポジション・データセットを保存する。
【００３４】
一式のポジション・データとは、エントリペン３２４が感知したＸ位置及びＹ位置、ディスプレイ３３０に対しエントリペン３２４のペン先３２８が押圧されかを示す圧力データ、ディスプレイ３３０に対し、ペン先３２８が押圧されたか否かを示すペン先アップ／ダウンビット、及びエントリペン３２４のサイドスイッチ３２６の位置を示すペン・サイドスイッチ情報である。
【００３５】
メモリロケーション３５２は、永久的に、Ｘ位置として指定される。メモリロケーション３５４はＹ位置として指定され、メモリロケーション３５６は圧力データとして指定され、メモリロケーション３５８はペン先アップ／ダウンビットとして指定され、また、メモリロケーション３６０はペン側スイッチ情報として指定される。つまり、メモリ３１４は、ポジションデータセットの各要素、及びポジションデータセットの識別子が、常に所定のメモリロケーションに保存されているメモリ・マップ・エリアを備えている。
【００３６】
集積回路３０６は、ポジションデータセット３１２及びその識別子を集積回路３０８に送信するためのバス・インターフェイス３６２を備える。集積回路３０８は、バス・インターフェイス３６４を備える。例えば、バス・インターフェイス３６２及び３６４は、ＳＰＩ、ＩＩＣ、及び／またはＵＡＲＴデータバスなどのようなデータバスにより、集積回路３０６及び３０８に接続される。
【００３７】
集積回路３０８は、さまざまなプログラム素子を実行するためのロジック回路３６６を備え、例えば、ロジック回路３６６は、モバイル電話機能などの遠隔通信機能を提供するためのプログラム素子３６８、電子手帳機能を提供するプログラム素子３７０、ナビゲーションシステムを提供するプログラム素子３７２、インタラプト処理を行うプログラム素子３７４、及び／または操作システムを提供するプログラム素子３７６を実行させることが可能である。
【００３８】
集積回路３０８は、ポジション・データセット３１２を保存するためのメモリ３１６を備える。携帯用電子デバイス３００は、集積回路３０８を備える携帯電子デバイスの様々な素子に電力を供給するバッテリ３７８を備える。
【００３９】
ディスプレイ３３０は、集積回路３０８に接続され、プログラム素子３７６により供給されるグラフィカル・ユーザー・インターフェイス、及びプログラム素子３６８、３７０、３７２により提供される１つまたはそれ以上の機能性に係わる様々な情報及びユーザデータなどを表示する。
【００４０】
携帯用電子デバイス３００は、遠隔通信を機能させるための集積アンテナ３８０を備え、同様に集積アンテナ３８０は、ＧＰＳ（グローバル・ポジション・システム）信号を受信するなどのナビゲーションの機能を備えることが必要である。
【００４１】
操作上、携帯電子デバイス３００のユーザーは、エントリペン３２４をディスプレイ３３０に置くことで、データを入力することが可能である。また、ユーザーはサイドスイッチ３２６を操作すること、及び／またはデータ入力のために、ディスプレイ３３０の表面に対しペン先３２８が押圧される圧力を変化させることが可能である。
【００４２】
アナログ回路３３２は、ポジション・センサ・制御部３４４により制御され、コントロール・シグナル３３８をポジション・センサ３０２に送信することにより、ポジション・シグナル３０４を取得する。アナログ信号であるポジション・シグナル３０４は、デジタル信号に変換され、ポジション・シグナル・処理部３１０に送信されることにより、デジタルに変換されたポジション・シグナル３０４から、ポジション・データセット３１２が抽出される。
【００４３】
生成部３４６は、新たなポジション・データセット３１２に識別子を提供する。本発明の実施形態においては、生成部３４６が、ポジションセンサ・制御部３４４により実行されたポジションデータ・セット３１２のデータ取得をカウントするスキャン・カウンタとして使用される。ポジションセンサ・制御部３４４による制御のもとで、ポジション・センサ３０２により実施される各ポジションデータ・取得スキャンにより、スキャン・カウンタが増減する。
【００４４】
ポジションシグナル・処理部３１０は、生成部３４６から得たポジション・データセット３１２及びスキャンナンバを、メモリ３１４のメモリ・マップエリアに書き込む。すなわち、スキャンナンバがメモリロケーション３５０に、Ｘ−位置データがメモリロケーション３５２に、Ｙ−位置がメモリロケーション３５４に、圧力情報がメモリロケーション３５６に、ペン先アップ／ダウンビットがメモリロケーション３５８に、ペン側スイッチ情報がメモリロケーション３６０に、それぞれ書き込まれる。
【００４５】
スキャンナンバ及び新たなポジションデータセット３１２がメモリ３１４に書き込まれるときに、集積回路３０６から集積回路３０８へと送信されるインタラプト３２０を生成するためにインタラプト部３４８が使用される。
【００４６】
インタラプト３２０は、プログラム素子３７４により受信される。これに応じて、メモリ３１４のメモリマップエリアの読み取りが、集積回路３０８のバスインターフェイス３６２により行われる。例えば、集積回路３０８は、メモリロケーション３５０、３５２、３５４、３５６、３５８、及び３６０の順番で、メモリ・マップ・エリアを読み取る。これらの読み取りが終了した後に、集積回路３０８は、もう一度、メモリロケーション３５０のメモリ・マップ・エリアの読み取り行う。メモリロケーション３５０の内容が、最初に読み取ったときの内容と、データセット３１２を読み取った後の内容と同じである場合には、データセット３１２が適用できることを意味する。逆に、両者が違う場合には、集積回路３０８が、以前のポジションデータセット３１２の読み出しを試みる間に、ポジションシグナル・処理部３１０が、新たなポジションデータセットの書き込み動作を実行したことを意味する。後者の場合、集積回路３０８が、メモリ３１４のメモリ・マップ・エリアの内容の読み取りを再度試みることにより、継続的に更新されるポジションデータセット３１２の読み取りを行う。
【００４７】
ポジション・データセット３１２は、プログラム素子３６８、３７０、及び／または３７２によりアクセスできるように、集積回路３０８のメモリ３１６に保存される。プログラム素子３７４は、プログラム素子３６８、３７０、及び／または３７２、及びインタラプト３２０などから受け取る様々なインタラプトの優先順位を決めることが可能である。例えば、ユーザが、プログラム素子３６８により提供される遠隔通信機能を使用して緊急電話をすることが必要な場合には、プログラム素子３６８により生成された各々のインタラプトが、処理に遅延が生じるようなインタラプト３２０よりも優先される。
【００４８】
図４は、図３の携帯電子デバイスの操作を示す対応の図である。図４に示すように、ポジション・センサ３０２と集積回路３０６に備えられたポジション検出回路の操作、及び集積回路３０８に備えられたホストプロセッサの操作は、互いに独立しており、また、同期性もない。ポジション検出回路により実施されるプロセス４００は、以下の工程を有する。
【００４９】
工程４０２にて、ポジション・スキャンが、ポジション・データセットの取得のために行なわれる。工程４０４にて、スキャンカウンタの値が増減する。工程４０２にて行われたポジションスキャンにより得られたポジションシグナルが、工程４０６にて処理され、ポジションデータセットが送信される。工程４０８にて、ポジション・データセット及びスキャンカウンタ値がメモリマップ保存領域に保存される。さらにまた、工程４１０にて、インタラプトがホストプロセッサに送信され、適用可能な更新ポジションデータがメモリマップ保存領域に信号伝達される。工程４１０が終了すると、ポジションデータを連続して取得するために、再び、工程４０２に戻る。
【００５０】
ホストプロセッサにより実施される工程４１２は、以下の工程を有する。工程４１４にて、ホストプロセッサが、ポジション検出回路からインタラプトを受け取る（工程４１０参照）。これに応じて、工程４１６において、ホストプロセッサは、メモリマップ保存領域からスキャンカウンタ値を読み取る。次に、工程４１８において、ホストプロセッサが、メモリマップ保存領域からポジションデータセットを読み取る。工程４２０にて、ホストプロセッサは、メモリマップ保存領域からスキャンカウンタ値を再度読み取る。
【００５１】
工程４１６及び４２０において読み取られたスキャンカウンタ値が同一である場合は、工程４１８にて読み取られたポジションデータセットが適用可能であることを意味する。逆に、両者が同一ではない場合は、工程４１８において読み取りが行われた間に、ポジションデータセットが、新たなポジションデータセットに書き換えられたことを意味する。結果的としては、工程４２２が終了すると、メモリマップ保存領域から適用可能なポジションデータを新たに読み取るために、再び、工程４１６に戻る。
【００５２】
図５は、ポジション・データを取得するために使用されるポジション検知回路の構成例を示す。図５の実施形態における構成要素のうち、図１及び３の実施形態の構成要素に相当する構成要素は同一の参照番号にて示す。
【００５３】
本発明の適正な実施形態におけるポジション検知システムは、位置を示すポジション・インジケイタ５２４及びポジション・インジケイタ５２４の位置を検知するためのポジション検知装置５０２を備える。
【００５４】
ポジション・インジケイタ５２４は、少なくとも１つのコイルを備え、位置を示す。例えば、ポジション・インジケイタ５２４は、コイル、及びコイルに接続されたコンデンサを備え、コイルとコンデンサにより共振回路が形成される。
【００５５】
ポジション検知装置５０２は、制御部５４４、ポジション検知信号を生成する送信制御部５３４、送信回路５３５、センサエリアとして機能するセンサユニット５０３、センサコイルを選択／スイッチングするためのスイッチングユニット５０７、受信回路５３６、及び座標検知部５１０を備える。
【００５６】
平面上に伸びるセンサ・ユニット５０３は、ポジション・インジケイタ５２４の位置を検出するためのポジション検知信号を送信する送信コイルユニット５８０、及びポジション・インジケイタ５２４の位置を示す位置表示信号を受信するセンサコイルユニット５８２を備える。センサコイルユニット５８２は、Ｘ方向（Ｘ方向センサコイル）に配列された複数のセンサコイル、及びＸ方向に直交するＹ方向（Ｙ方向センサコイル）に配列された複数のセンサコイルを備える。
【００５７】
制御部５４４は、信号送信ユニット、受信ユニット、及びポジション検知ユニットに対応し、送信制御部５３４及び送信回路５３５は、信号送信ユニットに対応し、スイッチング・ユニット５０７及び受信回路５３６は受信ユニットに対応し、また、座標検知ユニット５１０は、ポジション検知ユニットに対応する。
【００５８】
制御部５４４は、ポジション検知装置５０２を制御し、また、送信制御部５３４、スイッチング・ユニット５０７、受信回路５３６、及び座標検知ユニット５１０も制御する。送信制御部５３４は、制御部５４４の制御のもとで、ポジション・インジケイタ５２４により指示された位置を検出するためのポジション検知信号を生成する。送信回路５３５は、送信制御部５３４からのポジション検知信号を増幅させ、また、センサユニット５０３に設けられた送信コイルユニット５８０にポジション検知信号を供給する。これにより、送信コイルユニット５８０が駆動する。センサ・コイルが、座標検知ユニット５１０により位置検出するためのスイッチング・ユニット５０７及び受信回路５３６を用いてスキャンされる。
【００５９】
ポジションセンサ５０２の操作を制御及び駆動させるために必要な様々な構成要素は、図１及び３に示す集積回路１０６、３０６と同一構成を有するアナログ／デジタルを混合した特定の集積回路５０６により提供される。ポジションデータを保存する集積回路５０６及びホストプロセッサを備えたインターフェイスについては、説明を簡単にするために図５には示していない。
【図１】
0004510892.tif 000002
【図２】
0004510892.tif 000003
【図３】
0004510892.tif 000004
【図４】
0004510892.tif 000005
【図５】
0004510892.tif 000006